(57)【要約】【課題】パッケージされた形態のままでは購入する際、恥ずかしい生理用品において、店内での持ち運び時やレジでの恥ずかしさを少なくするとともに、レジでのＰＯＳ精算をスムーズに行えるようにすること。【解決手段】店内での持ち運び時やレジで恥ずかしい思いをする生理用品などの製品をあらかじめ紙製などの袋に入れて包み隠しておくことで、持ち運び時の恥ずかしさを減少させ、中の製品のバーコードが袋の穴部を通して外側から見えるようにするなどにより、袋の外側からでも中の製品のバーコードをバーコードリーダーで読み取ることができ、スムーズにＰＯＳ精算を済ますことができるとともに、袋から製品を出すことがないので、レジで恥ずかしい思いをすることがなくなる。【選択図】　　　図１
2004094896.tif 000002
【特許請求の範囲】
【請求項１】
販売するために店頭に並べられたパッケージ済みの生理用品（３）などの製品を紙製などを用いた袋（１）に入れたとき、入れた生理用品（３）などの製品に記されているバーコード（４）が袋（１）の外から見えるように、バーコード（４）と位置を合わせて袋（１）に穴部（２）を設けることで、生理用品（３）などの製品を袋（１）に入れたまま陳列しておいて、そのままレジに持って行ったとき、レジで中の生理用品（３）などの製品を袋（１）から外に出さなくともバーコードリーダーでバーコード（４）を読み取り精算できるように為して提供される、紙製などの袋（１）に入れておいた製品をレジで出さずに販売する販売方法。
【請求項２】
紙製などを用いた袋（１）に穴部（２）を設けるのではなく、袋（１）の外側に、中に入れる生理用品（３）などの製品と同じバーコード（４）をあらかじめ印刷して提供される請求項１の紙製などの袋（１）に入れておいた製品をレジで出さずに販売する販売方法。
【請求項３】
紙製などを用いた袋（１）に穴部（２）を設けるのではなく、中に入れる生理用品（３）などの製品と同じバーコード（４）を印刷したシール（５）を袋（１）の外側に貼付して提供される請求項１の紙製などの袋（１）に入れておいた製品をレジで出さずに販売する販売方法。
【請求項４】
紙製などを用いた袋（１）に外側に、中に入れる生理用品（３）などの製品と同じバーコード（４）部分をタグ（６）として取りつけて提供される請求項１の紙製などの袋（１）に入れておいた製品をレジで出さずに販売する販売方法。
【発明の詳細な説明】
【０００１】
【発明の属する技術分野】
本発明は、スーパーなど店舗に陳列して販売される色鮮やかにパッケージされた生理用品などの製品を販売する際に、購入するためレジに持って行ったとき、恥ずかしさを減らす目的で紙製などを用いた袋に入れておいて、レジにおいても取り出すことなくバーコードを読み取れるよう袋にあらかじめ穴部を設けておいたりして提供することで、あらかじめ紙製などの袋に入れておいた製品をレジで出さずに販売する販売方法に関する。
【０００２】
【従来の技術】
従来は、スーパーなどの店舗に陳列するとき、他社の製品との差別化のため、陳列する全ての製品を鮮やかにパッケージしたまま陳列していて、ユーザーは、店の籠に入れてレジまで持って行っていたので、購入することにも恥ずかしさを感じる生理用品などの製品を籠に入れたままレジを通らなければならず恥ずかしかったのである。
【０００３】
【発明が解決しようとする課題】
スーパーなど多くの人が買い物をしている店舗において、女性が生理用品のような製品を購入することは恥ずかしいものであるので、レジでバーコードを読み取ったあとに店員が紙製の袋に入れたりしていたが、生理用品などのような製品は、他社との差別化の意味やイメージを大切にするためパッケージのデザインが色鮮やかになっており、そのまま陳列されている生理用品などのような製品を籠に入れたままレジに持って行ったとき、大体軽量の生理用品などのような製品は籠の上の方に置かれていることが多く、男性がいたり、近所や知り合いの人が買い物をしている中で、レジに並んでレジを通さなければならずその間恥ずかしい思いをしていたのであった。また、最近のレジではＰＯＳシステムによってバーコードを読み取る場合がほとんどであるため、陳列している生理用品などのような製品の周辺に紙製の袋を置いてユーザーが自ら紙製の袋に入れてレジに持って行っても、その紙製の袋が単なる袋であれば、袋の外側からバーコードを読み取ることができないので紙製の袋に入れて持って行ってもレジで一度出さざるをえず、レジで恥ずかしい思いをすることになるのであった。
【０００４】
【課題を解決するための手段】
本発明では、紙製などの袋に生理用品などの製品を入れたとき、バーコードを外から読み取れるよう穴部を設けるか、中に入れる生理用品などの製品と同じバーコードをあらかじめ袋の外側に印刷しておくか、中に入れる生理用品などの製品と同じバーコードをシールとして印刷しておいて袋の外側に貼布するか、バーコードをタグとして袋の外側に取りつけることにより、中に製品を入れた袋のまま籠に入れ、レジに並び、そのままバーコードを読み取り精算することができるようになるので恥ずかしい思いをすることが少なくなるのである。そして、陳列したときには、他社との差別化などのため色鮮やかにパッケージした生理用品などの製品そのものを前面においておき、本発明の袋に入れた生理用品などの製品をその後ろや横側や周辺に並べておくことにより、ユーザーは、買いたい製品を見つけやすい上、購入する場合は袋に入ったものを手に取れば良く、袋に入れて陳列しておくことで他社に比べての有利不利がなくなるばかりか、レジまで持って行く恥ずかしさの減少から販売においても本発明の袋に入れて販売することの有利さが期待できるのである。
【０００５】
【発明の実施の形態】
本発明は、スーパーなどの店舗で販売している製品のうち、製品自体のパッケージのままレジまで持って行って精算する際に恥ずかしい思いをするような主に生理用品などの製品について、製品を入れたままレジで精算できるように紙製などを用いた袋の外からバーコードリーダーでバーコードを読み取れるように為すものである。
【０００６】
主に生理用品などの製品を袋に入れたままレジで精算できるように、請求項１では袋に穴部を設け、請求項２では袋の外側にバーコードを印刷しておき、請求項３ではバーコードをシールとして印刷しておいて袋の外側に貼布し、請求項４ではバーコード部分をタグとして袋の外側に取りつけるのである。
【０００７】
袋に穴部を設ける場合は、袋の大きさや、中に入れる生理用品などの製品の大きさとバーコードの位置を考慮して穴部を設け、バーコードが穴部から見え、袋の外側からバーコードリーダーで、バーコードが読み取れなければならないのである。
【０００８】
袋に設ける穴部の数は、バーコードリーダーでバーコードを読み取るために少なくともひとつ以上必要である。
【０００９】
袋に設ける穴部の大きさは、バーコードリーダーで穴部から中のバーコードが読み取れればどのような大きさでも良いのである。
【００１０】
袋に設ける穴部の形状は、中のバーコードが読み取れればどのような形状でも良いが、ほとんどのバーコードの形状が横に長い長方形なのでバーコードの形状に合わせれば良いのである。
【００１１】
袋にバーコードを印刷する場合は、レジでバーコードリーダーを使い印刷したバーコードを読み取れるように袋の外側に印刷すると効果的である。
【００１２】
袋の外側にバーコードを印刷する場合は、バーコードリーダーでバーコードを読み取ったとき、袋の中の製品のバーコードと袋に印刷するバーコードを合わせないといけないので、袋に印刷するバーコードは、製品ごとに分け、中に入れる製品を間違えないようにしなければいけないのである。
【００１３】
袋の外側にバーコードを印刷する場合、印刷したバーコードをバーコードリーダーで読み取りやすければ袋の外側のどこに印刷しても良いのである。
【００１４】
印刷したバーコードをシール状にして袋に貼布する場合も、貼付するバーコードと中の製品のバーコードを一致させなければならず、また、貼付する位置も袋の外側とし、バーコードをバーコードリーダーで読み取りやすければ紙製の袋の外側のどの位置に貼付しても良いのである。
【００１５】
バーコードを設けたものをタグとして取りつける場合も、タグのバーコードと、袋の中に入れる製品のバーコードは一致させないといけないので製品ごとに分ける必要がある。
【００１６】
バーコード部分をタグとして取りつける場合、取りつける位置は、袋の外側になるが、バーコードをバーコードリーダーで読み取りやすければ袋の外側のどこに取りつけても良いのである。
【００１７】
バーコード部分をタグとして取りつける方法はどのような方法でも良いが、レジでタグを取り外して回収する場合は、取りつけ・取り外しが容易にできるようにタグに紐やゴム紐を接続して袋に取りつけると便利であり、タグをレジで回収しない場合は、タグに接続した紐で袋口を縛るようにして取りつけても良いのである。
【００１８】
生理用品などの製品を入れる袋は、フィルム状の袋にすると中が透けて見えるので、主に紙製の袋にすることで中も透けず、買い物籠の中に他の購入品と一緒に入れておいても目立たず、レジに並んで精算するときも目立たず恥ずかしい思いが減少し効果的である。
【００１９】
主に生理用品などの製品を包んで覆うとき、袋状になっていた方が中に製品を入れた際に、袋に設けた穴部と、中に入れた製品のバーコードを合わせるときに合わせやすくなり効果的である。
【００２０】
生理用品などの製品を入れる袋は、最初から袋状になっていた方が製品を中に入れたとき入れやすく、包み隠しやすいので便利であるが、最終的に生理用品などの製品を中に包み込んで隠せ、外側からバーコードリーダーでバーコードを読み取りやすければ枚葉の紙などを用い結果的に袋に入れたように製品を包んで覆っても良いのである。
【００２１】
生理用品などの製品を入れる袋は、無地でも、花などの模様が入っていても何でも良いが、買い物籠の中に入れて店内を歩いたり、レジで並んで精算しているときに恥ずかしい思いをしない範囲で、製品のロゴやメーカーのマークなどを袋の外側に印刷したり、シールとして貼付しておくと、購入者が手に取ったとき判別しやすく効果的である。
【００２２】
生理用品などの製品を袋に入れて店内で陳列するときは、全て袋の中に製品を入れて陳列すると折角色鮮やかにパッケージして購入意欲を出させたり、他社との差別化を募っている効果が小さくなりかねないので、陳列する際に手に取って購入するものとして袋に入れ、それ以外のディスプレイ用としては、従来のパッケージのまま陳列する方法を取ると効果的である。
【００２３】
陳列している製品は従来のパッケージのままとして、その側に袋を用意して購入者のうち、従来のパッケージのままレジに持って行くのが恥ずかしいと思う購入者が袋に入れてレジに持って行く方法でも良いが、あらかじめ袋に生理用品などの製品を入れた状態で陳列している製品もある方が、手に取って買いやすいサービスとなるので効果的である。
【００２４】
【実施例】
実施例について図面を参照して説明すると、図１において、請求項１の実施例を示す図であり、紙製などを用いた袋（１）に穴部（２）を設ける。
【００２５】
図２は、請求項１の使用状態を示す図であり、穴部（２）を設けた袋（１）の中に、生理用品（３）などの製品を入れるのであるが、このとき、元々、生理用品（３）などの製品をパッケージしているフィルムや箱などの容器の外側に記されているバーコード（４）が袋（１）に設けた穴部（２）から見えるように袋（１）に入れることにより、従来のパッケージでは、買い物籠に入れて店内を歩いたり、レジに並んで精算する際に恥ずかしい思いをするような生理用品（３）などの製品でも袋（１）に包まれているので恥ずかしい思いが減少するのであり、中に入れた生理用品（３）などの製品のバーコード（４）が穴部（２）から見えているので、レジで袋（１）から出さなくともバーコードリーダーでバーコード（４）を読み取って精算できるようになるのである。
【００２６】
図３は、請求項２の実施例を示す図であり、請求項２では、袋（１）の外側に、中に、入れる生理用品（３）などの製品と同じバーコード（４）をあらかじめ印刷しておくことで、レジで精算する際に、袋（１）から生理用品（３）などの製品を外に出さなくともバーコードリーダーで袋（１）に印刷したバーコード（４）を読み取ることができるのである。
【００２７】
図４は、請求項３の実施例を示す図であり、請求項３では、袋（１）の外側に、中に入れる生理用品（３）などの製品と同じバーコード（４）をあらかじめ印刷しておいたシール（５）を貼付することで、レジで精算する際に、袋（１）から生理用品（３）などの製品を外に出さなくともバーコードリーダーでシール（５）のバーコード（４）を読み取ることができるのである。
【００２８】
図５は、請求項４の実施例を示す図であり、請求項４では、袋（１）の外側に、中に入れる生理用品（３）などの製品と同じバーコード（４）をタグ（６）として取りつけることにより、レジで精算する際に、袋（１）から生理用品（３）などの製品を外に出さなくともバーコードリーダーでタグ（６）のバーコード（４）を読み取ることができるのである。
【００２９】
袋（１）に穴部（２）を設ける請求項１の場合、中に入れる生理用品（３）などの製品のバーコード（４）の位置が穴部（２）から見えるようにしなければならないので入れ方に注意が必要であるが、生理用品（３）などの製品は主に四角柱形状にパッケージされているので、袋（１）の中に入れる生理用品（３）などの製品の大きさとバーコード（４）の位置を考慮して袋（１）の大きさと穴部（２）の大きさや位置を決めて袋（１）を用意しておくと便利である。
【００３０】
請求項１の場合、生理用品（３）などの製品そのものに印刷されているバーコード（４）を読み取るので間違いはないが、請求項２や請求項３や請求項４の場合は、特別な意図を持って袋（１）の中に入れた生理用品（３）などの製品とは違うバーコード（４）を使用する必要がない限りは、中に入れた生理用品（３）などの製品と同じバーコード（４）を使用して製品の種類を間違わないように注意しなければならないのである。
【００３１】
中に生理用品（３）などの製品を入れる袋（１）は、紙製などを用いた袋（１）にした方が、入れやすく、中が透けないので効果的であるが、最終的に包んで覆い隠すことができ、バーコード（４）を外から読み取ることができれば、枚葉の紙などを用いて包み込み、テープで止めて剥がれないようにしても良いのである。
【００３２】
中に生理用品（３）などの製品を入れる袋（１）は、紙製以外に樹脂フィルムでも良いのである。
【００３３】
【発明の効果】
本発明は、以上述べてきたような内容で実施され、以下に記載されるような効果を奏する。
【００３４】
生理用品などの製品を袋の中に入れて、製品の大部分は包み隠していても、袋の外側からバーコードリーダーを使って、袋に設けている穴部から製品のバーコードを読み取ることができるのである。
【００３５】
袋の外側からバーコードを読み取ることができるので、購入するのに気恥ずかしいような生理用品などの製品をあらかじめ袋の中に入れて、包んでおくことができるので、従来のように、買い物籠の中で従来のように他の購入品の下に隠して持ち運ばなくても良いのである。
【００３６】
生理用品などの製品は、他社との差別化により色鮮やかなパッケージを施されていて特に目立ちやすい製品が多かったため、買い物籠の中に入れて買い物をしているとき買い物籠の中で目立ちやすく、いつ、誰に会うかわからず、購入したあとも気が気でなかったが、袋の中に包み隠されているので恥ずかしさが減少するのである。
【００３７】
生理用品などの製品を買い物籠に入れ、レジに並んでいるとき、知り合いや男性に見られても、袋の中に包み隠されているので恥ずかしい思いをしなくても良いのである。
【００３８】
生理用品などの製品を買い物籠に入れてレジに並ぶとき、袋の中に包み隠されているので、知り合いや男性のいないレジに並んだり、タイミングを計りながら並ばなくとも良いのである。
【００３９】
男性がレジを打っているところに並んでも従来のように恥ずかしい思いをしなくても良くなるのである。
【００４０】
従来、生理用品などのような製品は、レジでバーコードを読み取ったあと、店員が他の製品とは別に紙製の袋などにあらためて入れていたが、本発明を使用することによって、あらかじめ袋に入れられている上に、レジで外に出さなくともバーコードで読み取って精算することができるようになるので、レジでの恥ずかしい思いが減少することに加えて、レジのスピードもアップするので便利である。
【００４１】
生理用品などの製品は、他社品との差別化やイメージが大切であるため色鮮やかで目を引くデザインやパッケージが施されているので、陳列するときは、従来のように製品のパッケージのまま陳列するものと、袋に入れて陳列するものに分けることにより、従来のパッケージによるディスプレイを大切にしながら、店内から家まで持ち歩いても恥ずかしくないように手に取って購入するものはあらかじめ袋で包み隠されているものを購入でき、機能性以外に購入のしやすさで販売増も期待できるので効果的である。
【００４２】
生理用品などの製品のほとんどが、色鮮やかなデザインやパッケージを施され陳列されている中で、地味な袋で包まれていると、逆に新鮮に感じる場合もあり効果的である。
【００４３】
本発明は、生理用品以外の製品の中で、購入する際、少し気恥ずかしい他の製品にも応用できるので便利である。
【図面の簡単な説明】
【図１】本発明の実施例である。
【図２】本発明の使用状態を示す図である。
【図３】請求項２の実施例である。
【図４】請求項３の実施例である。
【図５】請求項４の実施例である。
【符号の説明】
１　袋
２　穴部
３　生理用品
４　バーコード
５　シール
６　タグ
【図１】
2004094896.tif 000003
【図２】
2004094896.tif 000004
【図３】
2004094896.tif 000005
【図４】
2004094896.tif 000006
【図５】
2004094896.tif 000007